(57)【要約】      （修正有）【課題】小型化が可能な、光量調節羽根を備えた光量調節装置、及び光量調節装置とレンズを備えた光学機器を提供する。【解決手段】光路を形成する開口内に移動して光量を調節する光量調節羽根１０３は、湾曲した板状の部材から形成され、光量調節羽根１０３の回動の中心となる被支持部と、被支持部を回動中心とした動作を規制する回動規制部１０３ｄとを有し、被支持部の支持面方向と回動規制部１０３ｄの規制面方向とが実質的に交差する。【選択図】図４
2014013363.tif 000002
【特許請求の範囲】
【請求項１】
羽根としての回動中心となる被支持部と、
前記被支持部を回動中心とした動作を規制する回動規制部とを有し、
前記被支持部の支持面方向と前記回動規制部の規制面方向とが実質的に交差することを特徴とする光量調節羽根。
【請求項２】
光路を形成する開口内に移動して光量を調節する光量調節羽根であって、
板状の羽根部材と、前記羽根部材の一端部側に設けられ、かつ前記羽根部材を回動させる駆動部に支持されて前記羽根部材の回動支点となる被支持部とを有し、
前記羽根部材は、湾曲した板状の部材から形成され、かつ前記被支持部における前記羽根部材の回動軸方向と前記開口内における光軸方向とが実質的に交差することを特徴とする光量調節羽根。
【請求項３】
前記羽根部材には、前記被支持部を中心とした回動を規制する回動規制部を設けたことを特徴とする請求項２に記載の光量調節羽根。
【請求項４】
前記回動規制部は、回動を規制するカム溝であることを特徴とする請求項１又３に記載の光量調節羽根。
【請求項５】
前記回動規制部が、回動中心となる貫通孔であることを特徴とする請求項１又は３に記載の光量調節羽根。
【請求項６】
光量を調節する光量調節部以外の前記被支持部を含む部分の厚みは、前記光量調節部の厚みよりも厚いことを特徴とする請求項１〜５のいずれか一項に記載の光量調節羽根。
【請求項７】
金型のスプルーからゲートを経由してキャビティに溶融樹脂を射出し成形品を成形する射出成形にて成形され、前記被支持部付近にゲートを有していることを特徴とする請求項１〜６のいずれか一項に記載の光量調節羽根。
【請求項８】
請求項１〜７のいずれか一項に記載の光量調節羽根と前記光量調節羽根を駆動する羽根駆動部を備えたことを特徴とする光量調節装置。
【請求項９】
固定開口を有するベース部材と、
前記固定開口を通過する光の量を調節するための光量調節部および前記ベース部材に対して回動可能に支持された前記被支持部を備えた請求項１〜７のいずれか一項に記載の光量調節羽根とを有し、
前記固定開口の開口面に直交する方向を光軸方向とし、前記固定開口の径に沿った方向を径方向とするとき、
前記光量調節羽根において前記光量調節部が前記被支持部に対して前記光軸方向に離れて位置するように前記被支持部が前記開口面に対して前記光軸方向への傾きを有することを特徴とする光量調節装置。
【請求項１０】
前記光量調節羽根において、少なくとも前記光量調節部よりも前記被支持部の方が前記開口面に対する前記光軸方向への傾きが大きいことを特徴とする請求項９に記載の光量調節装置。
【請求項１１】
前記被支持部は、前記光軸方向に対して傾いた軸回りで回動することを特徴とする請求項９又は１０に記載の光量調節装置。
【請求項１２】
前記光量調節羽根の前記被支持部と前記ベース部材のうち一方に形成されたボス部が他方に形成された穴部に挿入されることにより、前記光量調節羽根が前記ベース部材に対して回動可能に支持されており、
前記ボス部の中心軸が、前記光軸方向に対して傾いていることを特徴とする請求項１１に記載の光量調節装置。
【請求項１３】
前記光量調節部により光が通過する光通過開口を形成する遮光羽根としての前記光量調節羽根を複数有しており、該複数の光量調節羽根を回動させて前記光通過開口の大きさを変化させることにより前記光の量を調節することを特徴とする請求項９〜１２のいずれか１項に記載の光量調節装置。
【請求項１４】
前記ベース部材の前記光量調節羽根を覆うカバー部が、その周囲の部分に対して、前記光軸方向における前記被支持部側から前記光量調節部側に突出するように形成されていることを特徴とする請求項９〜１３のいずれか１項に記載の光量調節装置。
【請求項１５】
前記ベース部材に対して回転して前記光量調節羽根を回動させる駆動部材を有し、
該駆動部材は、前記光量調節羽根に対向し、かつ前記凹空間を囲む壁部を有することを特徴とする請求項９〜１４のいずれか１項に記載の光量調節装置。
【請求項１６】
前記ベース部材に対して回転して前記光量調節羽根を回動させる駆動部材と、
該駆動部材を回転させるアクチュエータを含む駆動部とを有し、
前記ベース部材のうち前記光量調節羽根を覆うカバー部が、その周囲の部分に対して、前記光軸方向における前記被支持部側から前記光量調節部側に突出するように形成されており、
前記駆動部は、前記ベース部材に、前記カバー部が突出する方向と逆方向に突出するように配置されていることを特徴とする請求項９〜１５のいずれか１項に記載の光量調節装置。
【請求項１７】
請求項８〜１６のいずれか一項に記載の光量調節装置とレンズを有することを特徴とする光学機器。
【発明の詳細な説明】
【技術分野】
【０００１】
本発明は、デジタルカメラ、ビデオカメラおよび交換レンズ等の光学機器に搭載される光量調節装置、ならびにその光量調節装置の一部を構成する光量調節羽根に関する。
【背景技術】
【０００２】
カメラ等の光学機器にはコンパクト性が求められ、特にカメラボディから突出して撮影レンズを保持するレンズ鏡筒の光軸方向での長さを短くすることが求められている。
特許文献１には、カメラの使用時（撮影時）にはカメラボディから突出し、カメラの非使用時（携帯時）においてはカメラボディ内に収納される（沈胴する）、いわゆる沈胴式レンズ鏡筒を有するカメラが開示されている。このカメラでは、光量調節装置（絞り）とレンズとが光軸方向において隣接配置され、沈胴状態にて絞り開口内にレンズの一部が入り込むことにより、沈胴状態でのレンズ鏡筒の長さを減少させる。
【先行技術文献】
【特許文献】
【０００３】
【特許文献１】特開２００７−３１０４１２号公報
【発明の概要】
【発明が解決しようとする課題】
【０００４】
しかしながら、特許文献１にて開示されたカメラでは、絞り羽根を開放状態以上に開くことで形成された開口内にレンズの一部を入り込ませる。このため、少なくとも開放開口径を該レンズの外径よりも大きくする必要がある。この結果、絞り開口を形成する絞り羽根を大きくする必要が生じ、開放状態以上に開いた状態にて絞り羽根を退避させるための外周スペースも大きく確保する必要がある。このため、光量調節装置が大型化する。したがって、これを搭載するカメラを小型化することが困難になる。
本発明は、小型化に適した光量調節羽根、およびこれを搭載した光量調節装置、ならびにこれを搭載した光学機器を提供する。
【課題を解決するための手段】
【０００５】
上記課題を解決するために、本発明の光量調節羽根は、羽根としての回動中心となる被支持部と、前記被支持部を回動中心とした動作を規制する回動規制部とを有し、前記被支持部の支持面方向と前記回動規制部の規制面方向とが実質的に交差することを特徴とする。
【０００６】
上記課題を解決するために、本発明の一側面の光量調節羽根は、光路を形成する開口内に移動して光量を調節する光量調節羽根であって、板状の羽根部材と、前記羽根部材の一端部側に設けられ、かつ前記羽根部材を回動させる駆動部に支持されて前記羽根部材の回動支点となる被支持部とを有し、前記羽根部材は、湾曲した板状の部材から形成され、かつ前記被支持部における前記羽根部材の回動軸方向と前記開口内における光軸方向とが実質的に交差することを特徴とする。
【発明の効果】
【０００７】
本発明によれば、光量調節装置の小型化に適した光量調節羽根を実現することができる。特に、光量調節装置において光量調節羽根を開放状態に開いた際、光量調節羽根が径方向にスペースを取らなくなるため、光量調節装置を径方向に小型化することが可能となる。そして、この光量調節装置を搭載した光学機器の小型化を達成することができる。
【図面の簡単な説明】
【０００８】
【図１】本発明の実施例１である絞り装置の分解斜視図。
【図２】実施例１の絞り装置の背面斜視図。
【図３】実施例１の絞り装置の側面断面図。
【図４】実施例１の絞り装置に用いられる絞り羽根の斜視図。
【図５】実施例１の絞り装置の動作説明図。
【図６】本発明の実施例２である絞りシャッタ装置の分解斜視図。
【図７】実施例２の絞りシャッタ装置の背面斜視図。
【図８】実施例２の絞りシャッタ装置の側面断面図。
【図９】実施例２の絞りシャッタ装置に用いられる絞り羽根とシャッタ羽根の斜視図。
【図１０】実施例２における絞り羽根の動作説明図。
【図１１】実施例２におけるシャッタ羽根の動作説明図
【図１２】実施例２の変形例の外周側拡大図。
【図１３】実施例１、２の絞り装置を搭載したカメラの構成を示すブロック図。
【発明を実施するための形態】
【０００９】
以下、本発明の実施例について図面を参照しながら説明する。
（実施例１）
図１および図２には、本発明の実施例１である光量調節装置としての虹彩絞り装置１１０を示している。これらの図において、１０１はベース部材としての地板であり、その径方向中央には第１の固定開口１０６が形成されている。以下の説明において、第１の固定開口１０６の開口面１０６ａの中心を通り、該開口面１０６ａに直交する軸を光軸ＡＸといい、該光軸ＡＸが延びる方向を光軸方向という。
【００１０】
また、地板１０１における第１の固定開口１０６の周囲のリング部の周方向複数箇所には、支持穴部（凹部）１０７が形成されている。各支持穴部１０７の中心軸ＢＸは、光軸方向（光軸ＡＸ）に対して傾きθＢを有し、光軸ＡＸと実質的に交差する。
【００１１】
１０２は駆動部材としての駆動リングであり、その内周側の部分には、地板１０１（第１の固定開口１０６）側に向かって凹のドーム形状を有するドーム壁部１０２ａが形成されている。ドーム壁部１０２ａの外径は、地板１０１の第１の固定開口１０６の内径とほぼ同じに設定されている。
また、駆動リング１０２におけるドーム壁部１０２ａよりも外周側の部分における周方向一部には、被駆動ギア１０２ｂが形成されている。ドーム壁部１０２ａにおける地板１０１側の面およびそれとは反対側の面（ガイド面）１０２ｃおよび被駆動ギア１０２ｂはそれぞれ、球面として形成されている。ドーム壁部１０２ａの径方向中央には、開放絞り開口に対応する第２の固定開口１１２が形成されている。光軸方向において、第２の固定開口１１２の開口面の位置は、駆動リング１０２におけるドーム壁部１０２ａより外周の部分に比べて、地板１０１（第１の固定開口１０６の開口面１０６ａ）から離れている。
【００１２】
また、ドーム壁部１０２ａのガイド面１０２ｃにおける周方向複数箇所（第２の固定開口１１２の周囲の複数箇所）には、後述する絞り羽根のカム溝に挿入されるボス部１０８が形成されている。各ボス部１０８の中心軸ＣＸは、ガイド面１０２ｃの法線方向に延びるように、光軸方向（光軸ＡＸ）に対して傾きθＣを有し実質的に交差する。
【００１３】
１０３は複数の光量調節羽根（遮光羽根）としての絞り羽根である。各絞り羽根１０３は、詳細は後述するが、レンズ面に沿って湾曲した板状の部材から構成される。例えば、本実施例では、地板１０１の第１の固定開口１０６および駆動リング１０２の第２の固定開口１１２の径方向内側に、周囲が遮光された絞り開口（光通過開口）Ａを形成するための遮光性を有する湾曲した薄板状の部材である。
【００１４】
図４に示すように、絞り羽根１０３は、絞り開口Ａを形成するための光量調節部としての遮光部１０３ａと、地板１０１および駆動リング（羽根駆動部の一部）１０２に対して回動可能に支持される被支持部１０３ｂと、これら遮光部１０３ａおよび被支持部１０３ｂを接続する中間部１０３ｅとを有する。被支持部１０３ｂには、地板１０１に形成された支持穴部１０７に挿入する軸部（凸部）１０３ｃが形成されており、絞り羽根１０３は、該支持穴部１０７と軸部１０３ｃとを中心として地板１０１および駆動リング１０２に対して回動可能である。そして、軸部１０３ｃが当接する被支持部１０３ｂの支持面（当接面）の方向は、回動の中心軸（回動軸）ＣＸの方向と一致する。
【００１５】
複数の絞り羽根１０３は、駆動リング１０２のドーム壁部１０２ａのガイド面１０２ｃに対向するように配置されている。遮光部１０３ａは、駆動リング１０２のドーム壁部１０２ａのガイド面１０２ｃとほぼ同じ曲率を持つ球面（曲面）形状に形成されている。このため、絞り羽根１０３が回動するとき、遮光部１０３ａは、ガイド面１０２ｃに沿って、つまりはガイド面１０２ｃによりガイドされながら、第２の固定開口１１２の径方向内側の領域（第１および第２の固定開口１０６，１１２に対向する領域）に進退する方向、すなわち絞り開口の大きさを変化させる方向（以下、開閉方向という）に移動して第１および第２の固定開口１０６，１１２を通過する光の量を調節する。地板１０１と駆動リング１０２との間には、駆動リング１０２側が凸となり、外周側が低くなるように段差を設けている。駆動リング１０２側が凸となっているため、絞り羽根１０３が外周部でひっかからずにスムーズに移動できる。
【００１６】
さらに、遮光部１０３ａには、駆動リング１０２に設けられたボス部１０８が挿入されて係合するカム溝部１０３ｄが形成されている。遮光羽根をモールド成型やプレス等にて製造する場合、金型の抜き方向が一方向となる関係で、カム溝部１０３ｄの当接面角度はある一つの値となる。ボス部１０８が当接するカム溝１０３ｄ（回動規制部）の当接面で光量調節羽根１０３の回動は規制（制限）され、回動の支点を一点とするよりも細かい動作を安定的に行うことができる。このようなボス部１０８が当接するカム溝１０３ｄの当接面は、光量調節羽根１０３の回動が規制される規制面となり、当該規制面方向（当接面の面方向）はＢＸで示す方向と一致する。前述したようにボス部１０８の中心軸ＣＸはガイド面１０２ｃの法線方向に延びている。このため、ボス部１０８は、その中心軸が光軸方向に延びる場合に比べて、カム溝部１０３ｄ内をスムーズに移動して遮光部１０３ａ（絞り羽根１０３）を開閉方向に位置精度良く回動させることができる。このような本実施例の光量調節羽根は、上述した軸部１０３ｃが当接する被支持部１０３ｂの支持面（当接面）の方向（回動の中心軸（回動軸）ＣＸの方向）は、各支持穴部１０７の中心軸ＢＸ方向と実質的に交差する。そして、被支持部１０３ｂの支持面方向と、回転規制部となるカム溝１０３ｄにおける規制面方向とが、実質的に交差する。つまり、本実施例の光量調節羽根１０３は、被支持部１０３ｂの支持面方向とカム溝１０３ｄの規制面方向とが、光軸方向（ＡＸ方向）に対して実質的に交差するように設けられている。このような構成における本実施例の光量調節羽根１０３は、レンズ面に沿って湾曲した形状でありながら、羽根の開閉動作をスムーズ且つ安定して行うことができる。すなわち、本実施例における光量調節羽根１０３は、羽根の安定的な開閉動作が可能であり、しかも光量調節装置における羽根の設置スペースを小さく抑えることができるため、光量調節装置の小型化において非常に有利である。
【００１７】
一方、カム溝部１０３ｄの傾きを最適な値に設定していない場合、駆動リング１０２の回動中にカム溝部１０３ｄがボス部１０８に引っ掛かる可能性がある。カム溝部１０３ｄの断面角度を最適な値に設定するために、金型の抜き方向をカム動作範囲の中央付近に設定すると、開放時および最小小絞り時におけるカム溝部１０３ｄとカムボス部１０８との角度不整合を最小にすることが可能となる。また、中間部１０３ｅに厚みを持たせると、絞り羽根１０３の強度が向上し、より精度の良い動作が可能となる。なお、遮光部１０３ａを球面として形成する一方、ガイド面１０２ｃを、球面とせずに、円錐台面としてもよい。
【００１８】
絞り羽根１０３は、射出形成を用いて形成する場合、金型のスプルーからゲートを経由してキャビティに溶融樹脂を射出する。樹脂性の成形品となる絞り羽根１０３は、中間部１０３ｅに光量調節部１０３ａより厚みを持たせることで強度が増す。また、光量調節部１０３よりも厚みのある被支持部１０３ｂ付近にゲートを有することで、薄肉部分での破損の可能性を低減する。また被支持部１０３ｂ付近であって、支持ボス１０３ｃの裏面にゲートを有してしていることにより、回転動作をスムーズに行うことができる。
【００１９】
また、絞り羽根１０３のうち中間部１０３ｅおよび被支持部１０３ｂ、すなわち少なくとも遮光部１０３ａよりも被支持部１０３ｂ側の部分は、地板１０１に形成された第１の固定開口１０６の開口面１０６ａに対して光軸方向への傾きαを有する（この傾きαは、駆動リング１０２に形成された第２の固定開口１１２や後述するカバー板に形成された第３の固定開口の開口面に対しても同様である）。傾きαは90度を含む角度であり、中間部１０３ｅおよび被支持部１０３ｂに傾きαが与えられることにより、遮光部１０３ａは、被支持部１０３ｂに対して光軸方向に離れて位置する。また、被支持部１０３ｂに形成された軸部１０３ｃの中心軸は、支持穴部１０７の中心軸ＢＸに一致するように光軸ＡＸに対して傾きを有する。したがって、絞り羽根１０３は、支持穴部１０７の中心軸が光軸方向に延びる場合に比べて、スムーズに回動することができる。
【００２０】
なお、絞り羽根１０３において、遮光部１０３ａよりも被支持部１０３ｂの方が開口面１０６ａに対する光軸方向への傾きが大きい。また、絞り羽根１０３の被支持部１０３ｂから遮光部１０３ａにかけての全体を球面（曲面）形状に形成してもよい。
【００２１】
ところで、絞り羽根１０３には、稜線１０３ｇに向かって徐々に絞り羽根１０３が薄くなるように、テーパー１０３ｆが設けてある。テーパー１０３ｆを設けることで、小絞り時の羽根盛り上がり量を少なくすることが可能となる。なおこのテーパーは、絞り羽根１０３の曲面形状の外側であっても内側であってもよい。
【００２２】
図１および図２において、１０４はカバー板（絞りカバー部材）であり、地板１０１との間に、駆動リング１０２と絞り羽根１０３を収容する羽根室を形成する。カバー板１０４の内周側の部分には、地板１０１側に向かって凹のドーム形状が形成されている。
【００２３】
カバー板１０４は、その外周の部分において地板１０１にビス等の固定手段により結合され、地板１０１と一体化される。このため、カバー板１０４も、地板１０１と同様にベース部材として扱うことができる。なお、地板１０１にドーム部１０４ａと同様なドーム部を形成するとともに、カバー板１０４のドーム部１０４ａをなくす等して、地板１０１とカバー板１０４の位置を入れ替えてもよい。
【００２４】
１０５はステッピングモータ等のアクチュエータを含む駆動部であり、その出力軸には、駆動リング１０２の被駆動ギア１０２ｂに噛み合う駆動ギア１０５ａが取り付けられている。被駆動ギア１０２ｂが球形状となっていることから、駆動ギア１０５ａと被駆動ギア１０２ｂはかさ歯車もしくはそれ類似の歯車構成となる。ここで、駆動部１０５（絞り駆動部）は、カバー板４のドーム形状が突出する方向と逆方向に突出するように設けられている。このようにカバー板１０４のドーム形状と駆動部１０５がベース部材から突出する方向を逆にすることにより、この絞り装置をカメラ等の光学機器に搭載した場合に、光学機器内のスペース（特に、カバー板１０４のドーム形状が配置された側とは反対側のスペース）を有効に使用することができ、光学機器の小型化を図ることができる。
【００２５】
駆動部１０５に通電されて駆動ギア１０５ａが回転すると、図５（ａ），（ｂ）に示すように、その回転力が被駆動ギア１０２ｂを介して駆動リング１０２に伝達され、これを光軸ＡＸ回りで地板１に対して回転させる。そして、前述したように、遮光部１０３ａに形成されたカム溝部１０３ｄ内で駆動リング１０２に設けられたボス部１０８が移動することにより、絞り羽根１０３は、被支持部１０３ｂの軸部１０３ｃとこれを挿入した支持穴部１０７を中心として開閉方向に回動される。
【００２６】
なお、本実施例では、地板１０１に形成された支持穴部１０７（の中心軸）と駆動リング１０２に形成されたボス部１０８（の中心軸）がそれぞれ光軸方向に対して傾いている場合について説明した。しかし、支持穴部１０７およびボス部１０８は光軸方向に平行に延びるように形成されてもよく、絞り羽根１０３（被支持部１０３ｂ）が光軸方向に対して傾いた仮想の軸回りで回動すればよい。
【００２７】
また、地板１０１にカバー板１０４のドーム形状と同様なドーム部を形成するとともに、そこにカム溝に挿入するボス部を形成し、ドーム部の固定開口１１２の径方向の外側に駆動リング１０２を回動可能に配置するとともに、そこに支持ボス部を形成しても良い。地板１０１にカム溝に挿入するボスを設ける場合は、絞り羽根１０３に形成された穴部に駆動リング１０２に形成された支持ボス１０７を挿入し、カム溝部１０３dに地板１０１に形成されたボス部１０８を挿入するようにしてもよい。すなわち、絞り羽根１０３の穴部１０３cとカム溝部１０３dに挿入される支持ボス部１０７とボス部１０８は、それぞれの相対位置が変化するように構成されれば、どちらが地板１０１に形成され、どちらが駆動リング１０２に形成されていても同様である。
【００２８】
また、本実施例では、地板１０１に形成された支持穴部１０７と駆動リング１０２に形成されたボス部１０８をそれぞれ、絞り羽根１０３に形成された軸部１０３ｃとカム溝部１０３ｄに挿入する場合について説明した。しかし、絞り羽根１０３に支持穴部１０７に相当する穴部とボス部１０８に相当するボス部を形成し、これらを地板１０１に形成された穴部と駆動リング１０２に形成されたカム溝部に挿入するようにしてもよい。  以上のように構成された絞り装置１１０では、前述した絞り羽根１０３の中間部１０３ｅおよび被支持部１０３ｂが有する光軸方向への傾きαによって、図３に示すように、複数の絞り羽根１０３よりも径方向内側に、光軸方向において複数の絞り羽根１０３の被支持部（１０３ｂ）側から遮光部（１０３ａ）側に奥行きを有する凹空間Ｓが形成される。凹空間Ｓの被支持部側の端は、地板１０１に形成された第１の固定開口１０６にて開口している。一方、凹空間Ｓの遮光部側の端は、駆動リング１０２に形成された第２の固定開口１１２（さらには絞り開口Ａおよびカバー板１０４に形成された第３の固定開口１１３）にて開口している。すなわち、凹空間Ｓは、第１〜第３の固定開口１０６，１１２，１１３に面している。また、凹空間は、凸形状を有するレンズ５１と、凹形状を有するレンズ５３との間の空間に配置されている。
【００２９】
凹空間Ｓは、その外周が複数の絞り羽根１０３の羽根面により囲まれた空間と言うこともできる。ただし、本実施例では、複数の絞り羽根１０３の羽根面が凹空間Ｓに直接面しておらず、絞り羽根１０３の羽根面と凹空間Ｓとの間には、凹空間Ｓを囲む駆動リング１０２のドーム壁部１０２ａが介在している。なお、ドーム壁部１０２ａは必ずしも必要ではなく、径方向に放射状に延びるレール等によって絞り羽根１０３を安定して開閉方向にガイドすることができれば、ドーム壁部１０２ａをなくして絞り羽根１０３の羽根面が凹空間Ｓに直接面するようにしてもよい。
【００３０】
（実施例２）
本実施例は、デジタルカメラ、ビデオカメラおよび交換レンズ等の光学機器に搭載される絞りおよびシャッタ機能を有する光量調節装置における光量調節羽根である絞り羽根とシャッタ羽根に関する。
【００３１】
カメラ等の光学機器にはコンパクト性が求められ、特に撮影レンズを保持するレンズ鏡筒がカメラボディから光軸方向に突出する場合には、該レンズ鏡筒の光軸方向での長さをできるだけ短縮することが求められている。特開２００４−１８４４８６号公報には、１つの地板の一方の側に光通過開口（絞り開口）のサイズを増減させて光量を調節する絞り羽根を配置し、該地板の他方の側に光通過開口（シャッタ開口）を開閉するシャッタ羽根を配置した光量調節装置が開示されている。このように１つの地板を用いて絞り機能とシャッタ機能とを有する光量調節装置を構成することで、絞り装置とシャッタ装置と別々に設ける場合に比べて、カメラの光軸方向での薄型化を図ることができる。本発明の実施例では、光量調節装置に備えられる光量調節羽根である絞り羽根およびシャッタ羽根の少なくともいずれか一方について説明する。この光量調節羽根を備えた光量調節装置は、撮像装置の径方向での小型化を図ることができる。
【００３２】
特開２００４−１８４４８６号公報にて開示された光量調節装置でも、光軸方向において地板の厚みと、絞り羽根が移動するスペースと、絞り羽根が移動するスペースとが必要となるため、薄型化に限界がある。
【００３３】
本実施例２は、絞り羽根とシャッタ羽根とを有し、径方向での大型化を抑えつつ、光軸方向でのコンパクト化を図ることができる光量調節装置の光量調節羽根およびこれを用いた光学機器を提供する。
【００３４】
本実施例の一側面としての光量調節装置は、ベース部材と、光通過開口を通過する光の量を増減させるための絞り部およびベース部材に対して回動可能に支持された被支持部を有する絞り羽根と、光通過開口における光の通過を遮断するためのシャッタ部およびベース部材に対して回動可能に支持された被支持部を有するシャッタ羽根とを有する。光通過開口の開口面に直交する方向を光軸方向とし、該光軸方向に対して直交する方向を径方向とするとき、絞り羽根およびシャッタ羽根において、それぞれの被支持部に対して絞り部およびシャッタ部が光軸方向に離れて位置するように、該各被支持部が開口面に対して光軸方向における同じ側への傾きを有することにより、絞り羽根およびシャッタ羽根よりも径方向における内側に光通過開口に面した凹空間が形成されていることを特徴とする。
【００３５】
なお、上記光量調節装置とレンズとが光軸方向に配置された光学系を有し、レンズの少なくとも一部が、光量調節装置における凹空間の内部に入り込む光学機器も本発明の他の一側面を構成する。
【００３６】
本実施例２によれば、絞り羽根とシャッタ羽根と有する光量調節装置において、絞り羽根やシャッタ羽根を開放状態まで開くことなく、これらの羽根よりも径方向内側に、レンズを入り込ませることが可能な凹空間を形成することができる。つまり、光量調節装置の径方向での大型化を抑えつつ、その光軸方向の内側までレンズを入り込ませることが可能となる。したがって、この光量調節装置を搭載した光学機器の小型化も達成することができる。
【００３７】
なお、絞り羽根やシャッタ羽根の被支持部を、光軸方向に対して傾くように設けられた軸回りで回動するように支持することで、これらの羽根のよりスムーズな回動を可能とすることができる。
【００３８】
以下、本発明の実施例２について図面を参照しながら説明する。
【００３９】
図６および図７（ａ），（ｂ）には、本発明の実施例２である光量調節装置としての虹彩型の絞りシャッタ装置１０を示している。これらの図において、１はリング形状に形成されたベース部材としての地板であり、その内周には開口６が形成されている。以下の説明において、絞りシャッタ装置１０の中心を通る軸であって、地板１に形成された開口６の開口面および後述する各固定開口のそれぞれの開口面に直交する軸を光軸ＡＸといい、該光軸ＡＸが延びる方向を光軸方向という。さらに、光軸方向に対して直交する方向を径方向という。
【００４０】
地板１において開口６の周囲を囲むリング部の周方向複数箇所には、支持部としての絞り支持ボス部（凸部）７が形成されている。各絞り支持ボス部７の中心軸ＢＸは、光軸方向（光軸ＡＸ）に対して傾きθＢを有する。
【００４１】
２は駆動部材としての絞り駆動リングである。絞り駆動リング２は、地板１（開口６）側に向かって凹（言い換えれば、地板１とは反対側に向かって凸）のドーム形状に形成されたドーム壁部２ａを有する。ドーム壁部２ａの最内周部（径方向中央部）には、光通過
開口としての第１の固定開口１２が形成されている。また、絞り駆動リング２におけるドーム壁部２ａよりも外周側の部分における周方向一部には、被駆動ギア２ｂが形成されている。ドーム壁部２ａにおける地板１側の凹面およびそれとは反対側の凸面（以下、絞りガイド面という）２ｃはそれぞれ、球面又は曲面として形成されている。光軸方向において、第１の固定開口１２の開口面の位置は、絞り駆動リング２におけるドーム壁部２ａの外周縁に比べて、地板１（開口６の開口面）から離れている。つまり、絞り駆動リング２において、ドーム壁部２ａは、光軸方向において地板１から離れる方向に突出するように形成されている。
【００４２】
また、ドーム壁部２ａの絞りガイド面２ｃにおける周方向複数箇所（第１の固定開口１２の周囲の複数箇所）には、後述する絞り羽根のカム溝に挿入されるボス部８が形成されている。各カボス部８の中心軸ＣＸは、絞りガイド面２ｃの法線方向に延びるように、光軸方向（光軸ＡＸ）に対して傾きθＣを有する。
【００４３】
３は遮光羽根としての絞り羽根であり、本実施例では、複数（６枚）設けられている。各絞り羽根３は、絞り駆動リング２に形成された第１の固定開口１２の径方向内側に、その周囲が遮光された絞り開口Ａを形成するための遮光性を有する薄板状の部材である。
【００４４】
図９（ａ）に詳しく示すように、絞り羽根３は、絞り開口Ａを形成するための遮光部としての絞り部３ａと、地板１の絞り支持ボス部７が挿入される穴部３ｃが形成された被支持部３ｃとを有する。被支持部３ｂ（つまりは絞り羽根３）は、穴部３ｃに絞り支持ボス部７が挿入されることによって、地板１に対して、該絞り支持ボス部７を中心として回動可能に支持される。さらに、絞り羽根３は、絞り部３ａと被支持部３ｂとを接続する中間部３ｅを有する。
【００４５】
各絞り羽根３は、絞り駆動リング２のドーム壁部２ａの絞りガイド面２ｃに対向するように（又はこれに沿うように）配置されている。絞り部３ａは、ドーム壁部２ａの絞りガイド面２ｃとほぼ同じ曲率を持つ球面（曲面）形状に形成されている。このため、絞り羽根３が回動するとき、絞り部３ａは、絞りガイド面２ｃに沿って、つまりは絞りガイド面２ｃによってガイドされながら、第１の固定開口１２の径方向内側の領域（第１の固定開口１２に対向する領域）に進退する方向、すなわち絞り開口の大きさを変化させる方向（以下、絞り開閉方向という）に回動する。
【００４６】
また、各絞り羽根３のうち中間部３ｅおよび被支持部３ｂ、すなわち少なくとも絞り部３ａよりも被支持部３ｂ側の部分は、地板１の開口６の開口面（図９（ａ）にＰで示す）に対して光軸方向への傾きαを有する。この傾きαは、絞り駆動リング２に形成された第１の固定開口１２の開口面や後述する絞りカバー板に形成された第２の固定開口の開口面に対する傾きにも相当し、さらに各開口面は径方向に沿っているので、径方向に対する傾きと言い換えることもできる。
【００４７】
傾きαは、９０度以下の角度であり、中間部３ｅおよび被支持部３ｂに傾きαが与えられることにより、絞り部３ａは、被支持部３ｂに対して光軸方向に離れて位置する。また、被支持部３ｂに形成された穴部３ｃの中心軸は、絞り支持ボス部７の中心軸ＢＸに一致するように光軸ＡＸに対して傾きを有する。したがって、絞り羽根３は、絞り支持ボス部７の中心軸が光軸方向に延びる場合に比べて、スムーズに回動することができる。
【００４８】
なお、各絞り羽根３において、絞り部３ａよりも被支持部３ｂの方が、開口面（径方向）Ｐに対する光軸方向への傾きが大きい。また、絞り羽根３の被支持部３ｂから絞り部３ａにかけての全体を球面（曲面）形状に形成してもよい。
【００４９】
さらに、各絞り羽根３には、絞り駆動リング２に形成されたボス部８が挿入されて係合するカム溝部３ｄが形成されている。前述したようにボス部８の中心軸ＣＸは絞りガイド面２ｃの法線方向に延びている。このため、ボス部８は、その中心軸が光軸方向に延びる場合に比べて、カム溝部３ｄ内をスムーズに移動して絞り部３ａ（つまりは絞り羽根３）を絞り開閉方向に位置精度良く回動させることができる。なお、絞り部３ａを球面として形成する一方、絞りガイド面２ｃを球面ではなく、円錐台面としてもよい。
【００５０】
図６および図７（ａ）において、４は絞りカバー板（絞りカバー部材）であり、地板１に対して絞り駆動リング２および絞り羽根３とは反対側に配置されて、絞り駆動リング２（ドーム壁部２ａ）との間に絞り羽根３を収容する絞り羽根室を形成する。絞りカバー板４は、地板１（開口６）側に向かって凹（言い換えれば、地板１とは反対側に向かって凸）のドーム形状を有するドーム壁部４ａと、該ドーム壁部４ａの外周に形成されたリング部とを有する。ドーム壁部４ａは、絞り駆動リング２のドーム壁部２ａとほぼ同じ曲率を持つ球面又は曲面形状に形成されている。
【００５１】
ドーム壁部４ａの最内周部（径方向中央部）には、光通過開口としての第２の固定開口１３が形成されている。光軸方向において、第２の固定開口１３の開口面の位置は、ドーム壁部４ａの外周縁（リング部）に比べて、地板１（開口６）から離れている。つまり、絞りカバー板４において、ドーム壁部４ａは、光軸方向において地板１から離れる方向に突出するように形成されている。
【００５２】
絞りカバー板４のリング部が地板１にビスにより結合されることで、絞りカバー板４は地板１と一体化される。このため、絞りカバー板４も、地板１と同様にベース部材として扱うことができる。
【００５３】
なお、地板１に、絞りカバー板４ドーム壁部４ａと同様なドーム壁部を形成し、該ドーム壁部に固定開口を形成することで絞りカバー板４をなくしてもよい。
【００５４】
５はステッピングモータ等のアクチュエータを含む絞り駆動部であり、その出力軸には、図７（ｂ）に示すように、絞り駆動リング２の被駆動ギア２ｂに噛み合う駆動ギア５ａが取り付けられている。絞り駆動部５は、モータ地板１１および絞りカバー板４を介して地板１に固定される。ここで、絞り駆動部５は、地板１および絞りカバー板４を含むベース部材のうちドーム壁部４ａの周囲の部分における１カ所に配置されている。言い換えれば、絞り駆動部５は、ドーム壁部４ａがその周囲の部分に対して突出する方向と同じ方向に、該周囲の部分から突出するように設けられている。
【００５５】
このようにドーム壁部４ａと絞り駆動部５とがベース部材から突出する方向を同じにすることにより、後述する実施例３のように、本絞りシャッタ装置１０をカメラ等の光学機器に搭載した場合に、光学機器内のスペース（特に、ドーム壁部４ａと絞り駆動部５とが配置された側とは反対側のスペース）を有効に使用することができ、該光学機器の小型化を図ることができる。
【００５６】
絞り駆動部５に通電されて駆動ギア５ａが回転すると、図１０（ａ），（ｂ）に示すように、その回転力が被駆動ギア２ｂおよび駆動ギア５ａを介して絞り駆動リング２に伝達され、これを光軸ＡＸの回りで地板１に対して回転させる。そして、前述したように、絞り羽根３の絞り部３ａに形成されたカム溝部３ｄ内で絞り駆動リング２に設けられたボス部８が移動することにより、絞り羽根３は、被支持部３ｂの穴部３ｃに挿入された絞り支持ボス部７を中心として絞り開閉方向に回動される。こうして、複数の絞り羽根３（ただし、図１０（ａ），（ｂ）には１枚のみを示している）の絞り部３ａが絞り開閉方向に回動されることで、これら絞り部３ａにより形成される絞り開口Ａの径が変化し、該絞り開口Ａを通過する光の量が増減（調節）される。
【００５７】
なお、本実施例では、地板１に形成された絞り支持ボス部７（の中心軸）と絞り駆動リング２に形成されたボス部８（の中心軸）とがそれぞれ光軸方向に対して傾いている場合について説明した。しかし、絞り支持ボス部７およびボス部８は光軸方向に平行に延びるように形成されてもよく、絞り羽根３（被支持部３ｂ）が光軸方向に対して傾いた仮想の軸回りで回動すればよい。
【００５８】
また、地板１に絞りカバー板４のドーム壁部４ａと同様なドーム壁部を形成し、該ドーム壁部に固定開口を形成するとともに該ドーム壁部の内面（凹面）にボス部を形成する一方、回動可能な絞り駆動リング２に絞り支持ボス部を形成してもよい。この場合、絞り羽根３に形成された穴部３ｃに絞り駆動リング２に形成された絞り支持ボス部を挿入し、カム溝部３ｄに地板１のドーム壁部に形成されたボス部を挿入する。これによっても、絞り駆動リング２を回動させることで、絞り羽根３を絞り開閉方向に回動させることもできる。このように、絞り羽根３の穴部３ｃとカム溝部３ｄのそれぞれに挿入される絞り支持ボス部とカム溝に係合するボス部とは、それらの相対位置が変化すれば、どちらが地板１に形成されて、どちらが絞り駆動リング２に形成されてもよい。そして、この場合のように絞り羽根３の被支持部３ｂを直接的に支持するのが絞り駆動リング２であっても、被支持部３ｂが地板１に対して回動可能に支持されている点では同じである。
【００５９】
また、本実施例では、地板１に形成された絞り支持ボス部７と絞り駆動リング２に形成されたカムボス部８をそれぞれ、絞り羽根３に形成された穴部３ｃとカム溝部３ｄに挿入する場合について説明した。しかし、絞り羽根３に絞り支持ボス部７に相当するボス部とカムボス部８に相当するボス部とを形成し、これらを地板１に形成された穴部と絞り駆動リング２に形成されたカム溝部に挿入するようにしてもよい。
【００６０】
さらに、図６において、２１，２２は、地板１（および絞り駆動リング２）に対して絞り羽根３とは反対側に配置された２つのシャッタ羽根である。シャッタ羽根２１，２２も、絞り羽根３と同様に、遮光性を有する薄板状の部材である。
【００６１】
そして、２３はシャッタ羽根２１，２２に対して地板１および絞り駆動リング２とは反対側に配置されたシャッタカバー板（シャッタカバー部材）である。シャッタカバー板２３は、地板１に取り付けられて、絞り駆動リング２（ドーム壁部２ａ）との間にシャッタ羽根２１，２２を収容するシャッタ羽根室を形成する。シャッタカバー板２３は、地板１（開口６）側に向かって凸（言い換えれば、地板１とは反対側に向かって凹）のドーム形状を有するドーム壁部２３ａと、該ドーム壁部２３ａの外周に形成されたリング部とを有する。ドーム壁部２３ａは、絞り駆動リング２のドーム壁部２ａとほぼ同じ曲率を持つ球面（曲面）形状に形成されている。
【００６２】
ドーム壁部２３ａの最内周部（径方向中央部）には、光通過開口としての第３の固定開口２８が形成されている。光軸方向において、第３の固定開口２８の開口面の位置は、ドーム壁部２３ａの外周縁の部分（リング部）に比べて、地板１（開口６）から離れている。つまり、シャッタカバー板２３において、ドーム壁部２３ａは、光軸方向において地板１から離れる方向に突出するように形成されている。
【００６３】
シャッタカバー板２３は、そのリング部が地板１に接着されて結合されることで、地板１と一体化される。このため、シャッタカバー板２３も、地板１および絞りカバー板４と同様にベース部材として扱うことができる。
【００６４】
シャッタ羽根２１は、図９（ｂ）に詳しく示すように、遮光部としてのシャッタ部２１ａと、被支持部２１ｂとを有する。シャッタ部２１ａは、シャッタカバー板２３の第３の固定開口２８に対向する領域に進退して第３の固定開口２８を開放したり閉塞したり（すなわち開閉）する。第３の固定開口２８を閉じることで、該第３の固定開口２８（および第１、第２の固定開口１２，１３）における光の通過を遮断する。
【００６５】
被支持部２１ｂには穴部２１ｃが形成されており、該穴部２１ｃには、地板１に形成されたシャッタ支持ボス部２６が挿入される。これにより、被支持部２１ｂ（つまりはシャッタ羽根２１）は、地板１に対して、シャッタ支持ボス部２６を中心として回動可能に支持される。さらに、シャッタ羽根２１には、後述するシャッタ駆動ピンが挿入されて係合する穴部２１ｄが形成されている。穴部２１ｄが、絞り羽根３のカム溝部３ｄの溝形状に変わる係合部分として回転動作を規制する部分の回動中心となる。
【００６６】
もう１つのシャッタ羽根２２も、シャッタ羽根２１と同様に形成され、図１１（ａ），（ｂ）に示すように、シャッタ部２２ａと、支持ボス部が挿入される穴部２２ｃが形成された被支持部２２ｂと、シャッタ駆動ピンが挿入される貫通孔としての穴部２２ｄとを有する。図１１（ａ），（ｂ）には、シャッタカバー板２３を除いた状態でのシャッタ羽根２１，２２を示している。
【００６７】
これらシャッタ羽根２１，２２は、絞り駆動リング２のドーム壁部２ａの凹面およびシャッタカバー板２３の凸面に対向するように（又はこれに沿うように）配置され、これら凹面および凸面とほぼ同じ曲率を持つ球面（曲面）形状に形成されている。このため、シャッタ羽根２１，２２が回動するとき、シャッタ部２１ａ，２２ａは、絞り駆動リング２のドーム壁部２ａの凹面２ｅおよびシャッタカバー板２３の凸面２３ｃに沿って、つまりはこれら凹面２ｅおよび凸面２３ｃ（以下、これらをまとめてシャッタガイド面という）によりガイドされながら、第３の固定開口２８を開閉する方向（以下、シャッタ開閉方向という）に回動する。
【００６８】
また、シャッタ羽根２１，２２のうちシャッタ部２１ａ，２２ａよりも被支持部２１ｂ，２２ｂ側の部分は、前述した開口面Ｐに対して光軸方向への傾きβを有する。この傾きβは、９０度以下の角度であり、被支持部２１ｂ，２２ｂに傾きβが与えられることにより、シャッタ部２１ａ，２２ａは、被支持部２１ｂ，２２ｂに対して光軸方向に離れて位置する。なお、シャッタ羽根２１，２２のうち、被支持部２１ｂ，２２ｂの開口面Ｐに対する光軸方向への傾きβは、シャッタ部２１ａ，２２ａの開口面Ｐに対する光軸方向への傾きよりも大きい。
【００６９】
２４はシャッタ羽根２１，２２を、シャッタ開閉方向に回動させるシャッタ駆動部であり、２５はシャッタ駆動部２４を地板１に固定するための固定部材である。シャッタ駆動部２４は、例えば、二極に着磁されたマグネットと、それを取り囲むステータヨークと、該ステータヨークを励磁するコイル等により構成され、コイルへの通電によりマグネットを２位置間で往復回動させる。
【００７０】
本実施例では、シャッタ駆動部２４および固定部材２５は、地板１のうちシャッタ羽根２１，２２の被支持部２１ｂ，２２ｂを支持するシャッタ支持ボス部２６，２７が設けられた側の面とは反対側の面（絞り駆動部５と同じ側の面）に取り付けられる。
【００７１】
シャッタ駆動部２４のマグネットには、シャッタ駆動ピン２４ａが一体的に設けられており、該シャッタ駆動ピン２４は、地板１に形成された穴部を貫通し、シャッタ羽根２１，２２の駆動穴部２１ｄ，２２ｄに挿入されて係合する。このため、コイルへの通電によりシャッタ駆動ピン２４ａが回動すると、図１１（ａ），（ｂ）に示すように、シャッタ羽根２１，２２は、シャッタ支持ボス部２６，２７を中心としてシャッタ開閉方向に回動される。
【００７２】
シャッタ羽根２１，２２（少なくともシャッタ部２１ａ，２２ｂ）は、絞り駆動リング２のドーム壁部２ｄおよびシャッタカバー板２３のドーム壁部２３ａのガイド面２ｅ，２３ｃとほぼ同じ曲率を持つ球面（曲面）形状に形成されている。このためシャッタ羽根２１，２２が回動するときは、これらのガイド面２ｅ，２３ｃに沿って、つまりはこれらのガイド面２ｅ，２３ｃによりガイドされながら、シャッタ開閉方向に回動する。
【００７３】
図６および図９（ｂ）に示すように、シャッタ駆動ピン２４ａの中心軸ＤＸは、光軸方向（光軸ＡＸ）に対してドーム壁部２３ａ（ガイド面２ｅ）の法線方向に延びる傾きθＤを有する。また、シャッタ羽根２１，２２におけるシャッタ駆動ピン２４ａと係合する駆動穴部２１ｄ，２２ｄの中心軸は、シャッタ駆動ピン２４ａの中心軸ＤＸに一致するように光軸ＡＸに対して傾きを有する。さらに、シャッタ支持ボス部２６，２７は、光軸方向（光軸ＡＸ）に対して傾きθＥを有し、シャッタ支持ボス部２６，２７と係合する穴部２１ｃ，２２ｃの中心軸は、シャッタ支持ボス部２６，２７の中心軸ＥＸに一致するように光軸ＡＸに対して傾きを有する。したがって、シャッタ羽根２１，２２は、シャッタ駆動ピン２４ａおよびシャッタ支持ボス部２６，２７の中心軸が光軸方向に延びる場合に比べてスムーズに、かつ高速で回動することができる。
【００７４】
本発明の実施例の説明にも記載したが、シャッタ羽根２２を駆動させる外周部側に羽根が引っかからないように段差を設けることもできる。実施例２に示した絞りシャッタ装置１０の変形例として段差を設けた場合の外周側拡大図を図１２に示す。地板１と駆動リング２の間の外周側に段差が生じるように、地板１の内周側の端部に段差部１ｈ、駆動リング２の外周側端部に段差部２ｈを設けた。地板１の段差部１ｈには、シャッタ羽根２２が接触しないように駆動リング２を組み付けている。段差部１ｈ、２ｈは、シャッタ羽根２２の移動に沿って方向に対して外側に向かって低くなるように駆動リング２の曲率が地板１の曲率よりも小さくなるように構成しているためシャッタ羽根２２の外周部での引っかかりを防止し、スムーズな移動が可能となる。
【００７５】
本発明の実施例では、絞り羽根とシャッタ羽根とを搭載した光量調節装置について径方向での小型化を図り、スムーズに移動することができる構成を示した。また、本発明の構成を実施例１で示した絞り羽根の構成に適用し、シャッタ羽根に厚みの異なる部分を設けて、回動の中心となる被支持部側に厚い部分を設けてもよい。光量調節部以外の部分に光量調節部よりも厚い部分を設けることにより、光量調節羽根としてのシャッタ羽根１２１、１２２の強度を向上させることができる。また、シャッタ羽根１２１、１２２を精度良く動作することが可能となる。なお、絞り羽根の実施例と同様、シャッタ羽根も光量調節部を球面と形成する一方、ガイド面を球面とせず円錐台面としても良い。
光量調節羽根は同一方向へ凸形状を有するカバー部材４、駆動リング２、シャッターカバー２３のいずれか二つの部材の間に形成された一定の空間の間を移動するように配置することで、小型化に適した光量調節羽根を移動させ易い。
【００７６】
なお、本実施例では、地板１に形成されたシャッタ支持ボス部２６，２７を、シャッタ羽根２１，２２に形成された穴部２１ｃ，２２ｃに挿入する場合について説明した。しかし、シャッタ支持ボス部をシャッタカバー板４に設けてもよい。また、シャッタ羽根２１，２２にシャッタ支持ボス部２６，２７に相当するボス部を形成し、これらを地板１に形成された穴部に挿入するようにしてもよい。
【００７７】
以上のように、本実施例の絞りシャッタ装置１０では、図８に示すように、絞り羽根３およびシャッタ羽根２１，２２において、それぞれの被支持部３ｂ，２１ｂ，２２ｂに対して絞り部３ａおよびシャッタ部２１ａ，２２ａが光軸方向に離れて位置するように、各被支持部が開口面Ｐに対して光軸方向における同じ側への傾きα，βを有する。これにより、絞り羽根３およびシャッタ羽根２１，２２よりも径方向における内側に、第１〜第３の固定開口（光通過開口）１２，１３，２８に面した凹空間Ｓが形成される。
【００７８】
この凹空間Ｓは、実際には第３の固定開口２８を有するシャッタカバー板２３の径方向内側に、光軸方向において、絞り駆動リング２および絞りカバー板４に形成された第１および第２の固定開口１２，１３の側に向かって奥行きを有する空間として形成される。凹空間Ｓは、第１〜第３の固定開口１２，１３，２８の側においてこれら第１〜第３の固定開口１２，１３，２８に向かって開口しており（つまり第１〜第３の固定開口１２，１３，２８に面しており）、その反対側に向かって内径が増加して絞りシャッタ装置１０の光軸方向外部に向かって開口している。
【００７９】
凹空間Ｓには、図８に示すように、レンズ５１の少なくとも一部を入り込ませることが可能である。すなわち、本実施例によれば、形絞り羽根３とシャッタ羽根２１，２２を開放状態まで開くことなく、これらの羽根３，２１，２２よりも径方向内側に、レンズ５１の少なくとも一部を入り込ませることが可能な凹空間Ｓを形成することができる。
【００８０】
また、本実施例では、絞り羽根３およびシャッタ羽根２１，２２のうち一方の羽根（本実施例では絞り羽根３）が他方の羽根（本実施例ではシャッタ羽根２１，２２）に対して光軸方向における凹空間Ｓとは反対側に配置され、該絞り羽根３が、地板１よりも凹空間Ｓとは反対側に凸となるように配置されている。そして、このような絞り羽根３の配置により、図８に示すように、絞り羽根３（絞りカバー板４のドーム壁部４ａ）の凸面とレンズ５３の凹面とを近接させることが可能であり、絞り羽根３およびシャッタ羽根２１，２２を、レンズ５１の凸面とレンズ５３の凹面との間の狭い空間に配置することができる。
【００８１】
さらに、本実施例では、シャッタ羽根２１，２２、地板１および絞り羽根３を、凹空間Ｓの凹み方向（第１〜第３の固定開口１２，１３，２８に向かう奥行き方向）にこの順で配置している。言い換えれば、複数の絞り羽根３を、絞りシャッタ装置１０が光軸方向に凸となっている側に配置し、シャッタ羽根２１，２２を凹となっている面に配置している。この理由は、以下の通りである。絞り羽根３の数（本実施例では６枚）は、シャッタ羽根２１，２２の数よりも多く、地板１や絞り駆動リング２に形成する支持ボス部７やカムボス部８の数もこれに応じて多くなる。このような軸部をドーム形状の壁部に形成する場合、凹面に形成するより凸面に形成する方が、金型構造が簡単になり成形が行い易く、生産性も高めることが可能であるためである。
【００８２】
ただし、これとは逆に、シャッタ羽根、地板および絞り羽根を、凹空間の凹み方向とは反対方向にこの順で配置する、つまり絞り羽根を絞りシャッタ装置が光軸方向に凹となっている側に配置し、シャッタ羽根を凸となっている面に配置してもよい。
【００８３】
（実施例３）
上記実施例１にて説明した絞り装置１１０及び実施例２にて説明した絞りシャッタ装置１０が搭載された光学機器としてのカメラ（ビデオカメラ又はスチルカメラ）を図１３に示す。５０はカメラ本体であり、５１，５３は撮影光学系を構成する複数のレンズである。５２はＣＣＤセンサやＣＭＯＳセンサ等により構成される撮像素子であり、撮影光学系により形成された被写体像を光電変換する。
【００８４】
５４はＣＰＵ等により構成されるコントローラであり、絞り装置１１０または絞りシャッタ装置１０の駆動部５，２４や撮像素子５２の動作を制御する。
【００８５】
このようなカメラにおいて、図８に示すように、絞り装置１１０または絞りシャッタ装置１０の凹空間Ｓには、絞り装置１１０または絞りシャッタ装置１０に対して光軸方向にて隣接配置されたレンズ５１の少なくとも一部（凸面）が入り込むことができる。なお、図８には、凹空間Ｓへのレンズ５１の入り口が像面方向に向かって開口しており、絞りシャッタ装置１０に対して像面側に隣接配置されたレンズ５１およびこれを保持するレンズ保持部材５２の大部分が凹空間Ｓに入り込んでいる様子を示している。凹空間Ｓへのレンズ５１の入り口を被写体方向に向けて、絞りシャッタ装置１０に対して被写体側に隣接配置されたレンズ５３が凹空間Ｓに入り込むようにしてもよい。絞り装置１１０に対しても凹空間とレンズの関係は同様に構成することができる。
【００８６】
このような配置とすることにより、特に光軸方向においてカメラの撮影光学系の小型化を図ることが可能となる。
【００８７】
また、図８には、実施例２でも触れたが、絞りシャッタ装置１０の絞りカバー板４のドーム壁部４ａの被写体側の凸面と絞りシャッタ装置１０に対して被写体側に隣接配置されたレンズ５３の像面側の凹面とが近接している様子も示している。このように、絞りシャッタ装置１０の絞り羽根３およびシャッタ羽根２１，２２を、レンズ５１の被写体側の凸面とレンズ５３の像面側の凹面との間の狭い空間に配置することも可能である。
【００８８】
さらに、図８に示すように、絞りシャッタ装置１０とその両側のレンズ５１，５３とが近接した状態で、撮影光学系を保持するレンズ鏡筒がカメラ本体内に収納（沈胴）されるようにしてもよい。
【００８９】
また、絞り装置１１０または絞りシャッタ装置１０は、図１３に示したカメラだけでなく、交換レンズ等の他の光学機器にも搭載することができる。
【００９０】
以上説明した各実施例は代表的な例にすぎず、本発明の実施に際しては、各実施例に対して種々の変形や変更が可能である。
【産業上の利用可能性】
【００９１】
光量調節装置の小型化に適した光量調節羽根およびこれを搭載したカメラ等の光学機器を提供できる。
【符号の説明】
【００９２】
１，１０１  地板
２，１０２  絞り駆動リング
３，１０３  絞り羽根
４，１０４  絞りカバー部材
５，１０５  絞り駆動部
７，１０６  絞り支持ボス部
８，１０８  カムボス部
１０  絞りシャッタ装置
２１，２２  シャッタ羽根
２６，２７  シャッタ支持ボス部
２４  シャッタ駆動部
２４ａ  シャッタ駆動ピン
５１，５３  レンズ
１１０  絞り装置
【図１】
2014013363.tif 000003
【図２】
2014013363.tif 000004
【図３】
2014013363.tif 000005
【図４】
2014013363.tif 000006
【図５】
2014013363.tif 000007
【図１２】
2014013363.tif 000008
【図６】
2014013363.tif 000009
【図７】
2014013363.tif 000010
【図８】
2014013363.tif 000011
【図９】
2014013363.tif 000012
【図１０】
2014013363.tif 000013
【図１１】
2014013363.tif 000014
【図１３】
2014013363.tif 000015